(57)【要約】【課題】薄手の着衣が身体に密着したような写実的な表現を可能とした量産が容易な人形および人形製造方法を供する。【解決手段】裸体相当人形８Ｂ，８Ｗに薄い空隙を所要部に存して鋳型22Ｂ，22Ｗを被せ、型内に樹脂を注入して着衣相当部８Ｔ，８Ｐを裸体相当人形８Ｂ，８Ｗの表面に成型してなる人形および人形製造方法。【選択図】図７
2008220512.tif 000002
【特許請求の範囲】
【請求項１】
裸体相当人形に薄い空隙を所要部に存して鋳型を被せ、型内に樹脂を注入して着衣相当部を前記裸体相当人形の表面に成型してなることを特徴とする人形。
【請求項２】
裸体相当原型に基づいて裸体相当鋳型を作成する裸体相当鋳型作成工程と、
前記裸体相当鋳型に人形成型用樹脂を注入して裸体相当人形を成型する裸体相当人形成型工程と、
前記裸体相当原型の所要部表面に着衣相当部分を粘土素材で薄く塗り固めて人形原型を作成する人形原型作成工程と、
人形原型に基づいて人形鋳型を作成する人形鋳型作成工程と、
前記裸体相当人形に前記人形鋳型を被せ所要部型面と前記裸体相当人形との間に前記人形用樹脂より溶融温度が低いか少なくとも同じ着衣成型用樹脂を注入して着衣相当部分を前記裸体相当人形の表面に成型する着衣成型工程と、
から少なくともなることを特徴とする人形製造方法。
【請求項３】
前記着衣成型用樹脂が透明または半透明であることを特徴とする請求項２記載の人形製造方法。
【発明の詳細な説明】
【技術分野】
【０００１】
本発明は、着衣相当部が形成された観賞用人形およびその人形の製造方法に関する。
【背景技術】
【０００２】
従来より、観賞用に作成される人形があるが、観賞目的に作成される人形には、観賞に耐えるだけのリアリティが要求される。
このようなリアリティのある人形を表現するものとして実際の衣服を着用させる方法がある。
【０００３】
そこで、人形の衣服を実際と同じ織物から縫製して量産しようとすると、サイズがかなり小さいので、編み目が大き過ぎ縫製も粗くなり、いかにも玩具の衣類といった感じでリアリティに欠けるものとなる。
職人が手間と時間をかけて丁寧に手作りすればリアリティのある人形の衣服を作ることも不可能ではないが、高価過ぎ、安価な大量生産は不可能である。
【０００４】
そこで、人形に塗装により着衣を塗り分ける例（例えば、特許文献１参照）あるいはエラストマー材料やゴムから人形用衣服を成形する例（例えば、特許文献２参照）等が提案されている。
【０００５】
【特許文献１】特開２００５−３４９１２０号公報
【特許文献２】特開平１１−７６６２８号公報
【０００６】
特許文献１には、感温変色する塗料によって所定の色彩で衣服形態に塗装が施される人形玩具が開示されている。
他方、特許文献２に記載されたものは、エラストマー材料やゴムを鋳型に射出成形またはディップ成形し弾性を有する衣服を作り、人形に装着させるものである。
【発明の開示】
【発明が解決しようとする課題】
【０００７】
両者ともに、生産効率は高くはないが、ある程度量産可能である。
しかし、前者の特許文献１においては、塗料が衣服を表現しているので、立体感がなく衣服を身に付けているように写実的に表現することが困難であり、やはりリアリティに欠ける。
また、塗装するのに手間がかかり、観賞用としても楽しむためには、熟練者による塗装が必要となるため、その量産には限界がある。
【０００８】
また、後者の特許文献２においては、成形した衣服を人形に装着するので、写実的ではあるが、成形により作成できる衣服の肉厚は最低でも１mmあって、人形に薄手の着衣が密着したような表現はできない。
また、実際に薄手の着衣が密着した場合に、その着衣の色が透けて見えることがあるが、かかる表現をするには、やはり熟練者の塗装によるほかないというのが現実であった。
【０００９】
本発明は、かかる点に鑑みなされたもので、その目的とする処は、薄手の着衣が身体に密着したような写実的な表現を可能とした量産が容易な人形および人形製造方法を供する点にある。
【課題を解決するための手段】
【００１０】
上記目的を達成するために、請求項１記載の発明は、裸体相当人形に薄い空隙を所要部に存して鋳型を被せ、型内に樹脂を注入して着衣相当部を前記裸体相当人形の表面に成型してなる人形とした。
【００１１】
請求項２記載の発明は、裸体相当原型に基づいて裸体相当鋳型を作成する裸体相当鋳型作成工程と、前記裸体相当鋳型に人形成型用樹脂を注入して裸体相当人形を成型する裸体相当人形成型工程と、前記裸体相当原型の所要部表面に着衣相当部分を粘土素材で薄く塗り固めて人形原型を作成する人形原型作成工程と、人形原型に基づいて人形鋳型を作成する人形鋳型作成工程と、前記裸体相当人形に前記人形鋳型を被せ所要部型面と前記裸体相当人形との間に前記人形用樹脂より溶融温度が低いか少なくとも同じ着衣成型用樹脂を注入して着衣相当部分を前記裸体相当人形の表面に成型する着衣成型工程とから少なくともなる人形製造方法である。
【００１２】
請求項３記載の発明は、請求項２記載の人形製造方法において、前記着衣成型用樹脂が透明または半透明であることを特徴とする。
【発明の効果】
【００１３】
請求項１記載の人形によれば、裸体相当人形に薄い空隙を所要部に存して鋳型を被せ、型内に樹脂を注入して着衣相当部を前記裸体相当人形の表面に成型するので、立体感があると同時に、あたかも下着や水着などの薄手の着衣が身体に密着したような写実的な表現を可能としたリアリティのある人形を量産することができる。
なお、ここでいう裸体相当人形は、衣服を脱ぎ全身の肌が表れている人形だけをいうものではなく、衣服を着用した人形であっても、その上に着衣相当部を成型するものについては、その衣服を着用した人形も裸体相当人形にあたる。
【００１４】
請求項２記載の人形製造方法によれば、裸体相当人形成型工程で人形成型用樹脂により成形した裸体相当人形に、人形鋳型作成工程で人形原型に基づいて作成した人形鋳型を被せ所要部型面と前記裸体相当人形との間に人形成型用樹脂より溶融温度が低いか少なくとも同じ着衣成型用樹脂を注入して着衣相当部分を裸体相当人形の表面に成型するので、人形成型用樹脂を溶融することなく着衣相当部が裸体相当人形の身体に薄く密着して付けているように着衣相当部を成型することができ、立体感があると同時に、あたかも下着や水着などの薄手の着衣を実際に身に付けているようなリアリティのある人形を製造することができる。
【００１５】
請求項３記載の人形製造方法によれば、着衣成型用樹脂を透明または半透明とすることで、着衣相当部の下の裸体相当人形の表面素肌が透けて見えるような写実的な表現をすることができる。
【発明を実施するための最良の形態】
【００１６】
以下、本発明に係る一実施の形態について図１ないし図１１に基づいて説明する。
図１ないし図１０は、本実施の形態に係るビキニ水着を身に付けた女性を模した人形８（図１０，図１１参照）を製造する工程を経時的に図示している。
また、これは製造の一例であって、人形の素材や姿勢などの条件により他の製造方法を採用しうる。
【００１７】
まず、図１に示すような人形８の裸体相当の状態の裸体原型１を作成する。
例えば、焼くと硬化する特殊な造形用プラスチック粘土で裸体人形を造形し、加熱により焼き固めて裸体相当原型１を製造する。
【００１８】
この人形を造形するに際しては、種々の方法がある。
例えば、原型の基本を彫像で作る場合には、ポリエステルパテなどの素材を用い、塑像で作る場合には、ファンド（石粉粘土）や造形用プラスチック粘土といった素材を用いる方法があるが、これに限定されるものではない。
【００１９】
こうして作られた裸体原型１を、首、上腕付け根、腹部、大腿付け根辺りで切断し、図２に示すように、頭部原型１Ｈ，裸体胸部原型１Ｂ，裸体腰部原型１Ｗ，左右腕部原型１Ａ，１Ａ，左右脚部原型１Ｌ，１Ｌに分割する。
そして、分割した各部位に基づいて、それぞれの裸体相当鋳型２Ｈ，２Ｂ，２Ｗ，２Ａ，２Ａ，２Ｌ，２Ｌを作成する（「裸体相当鋳型作成工程」）。
【００２０】
鋳型の材質は、鉄でもよいが、精密鋳造が必要とされるときはベリリウム合金などを用いる。
また、鋳型として使用可能な樹脂素材を用いてもよい。
【００２１】
なお、頭部鋳型２Ｈには、型の首の部分に連結穴用の棒状中子３ｈが組込まれる。
裸体胸部鋳型２Ｂには、型の首端部と両肩口部に、それぞれ連結突起形成用の穴４ｈ，４ａ，４ａが各１本ずつ膨出形成され、腹部端面に連結穴用の棒状中子４ｗが組込まれる。
裸体腰部鋳型２Ｗには、腹部端面および大腿付け根端面に連結突起形成用の穴５ｗ，５ｌ，５ｌが膨出形成される。
【００２２】
腕部鋳型２Ａの型の上端部に連結穴用の棒状中子６ａが各１本組込まれ、脚部鋳型２Ｌの大腿付け根部に、連結穴用の棒状中子７ｌ，７ｌが２本組み込まれる。
なお、連結穴を角筒形状、棒状中子を角柱形状にして互いに嵌合するように構成することで、所定角度でより確実に連結することが可能である。
【００２３】
各裸体相当鋳型２Ｈ，２Ｂ，２Ｗ，２Ａ，２Ａ，２Ｌ，２Ｌに、人形成型用樹脂であるＡＢＳ樹脂を注入して、図４に示す人形頭部８Ｈ、人形裸体胸部８Ｂ、人形裸体腰部８Ｗ、両人形腕部８Ａ，８Ａ、両人形脚部８Ｌ，８Ｌを成型する（「裸体相当人形成型工程」）。
この人形各部位の素肌部分は日焼けした皮膚の色に形成されている。
なお、皮膚の色としては他の色（実際の皮膚の色ではない赤色や青色などの色も含む）でもよい。
【００２４】
人形頭部８Ｈの首の端面には連結穴11ｈが開口し、人形腕部８Ａ，８Ａの上腕付け根端面には連結穴14ａ，14ａが開口し、人形脚部８Ｌ，８Ｌの大腿付け根端面には連結穴15ｌ，15ｌが開口している。
一方、人形裸体胸部８Ｂの首端部および肩口に連結突起12ｈ，12ａ，12ａが突出し、腹部端面に連結穴12ｗが開口しており、人形裸体腰部８Ｗの腹部端面および大腿付け根端面に連結突起13ｗ，13ｌ，13ｌが突出している。
【００２５】
次に、裸体胸部鋳型２Ｂの原型となった前記裸体胸部原型１Ｂの主に胸の膨らみ部分にブラジャーに似たビキニトップのビキニトップ部分21ｔを粘土素材で薄く塗り固めて形成して図５に示すような人形胸部原型20Ｂを作成する（「人形原型作成工程」）。
同様に、裸体腰部鋳型２Ｗの原型となった裸体腰部原型１Ｗにビキニパンツ部分21ｐを粘土素材で薄く塗り固めて形成して図５に示すような人形腰部原型20Ｗを作成する（「人形原型作成工程」）。
【００２６】
この人形胸部原型20Ｂおよび人形腰部原型20Ｗに基づいて、図６に示すように、それぞれ人形胸部鋳型22Ｂおよび人形腰部鋳型22Ｗを作成する（「人形鋳型作成工程」）。
人形胸部鋳型22Ｂは、前後割りに分割され、前記人形裸体胸部８Ｂの突出した連結突起12ｈ，12ａ，12ａに対応する支持穴23ｈ，23ａ，23ａを、割り面に形成する。
同様に、人形腰部鋳型22Ｗも、前後割りに分割され、前記人形裸体腰部８Ｗの突出した連結突起13ｗ，13ｌ，13ｌに対応する支持穴24ｗ，24ｌ，24ｌを、割り面に形成する。
【００２７】
半割りにされた人形胸部鋳型22Ｂを、前記人形裸体胸部８Ｂに前後から被せ、人形胸部鋳型22Ｂの型内に人形裸体胸部８Ｂを収容する（図７参照）。
このとき、人形裸体胸部８Ｂの突出した連結突起12ｈ，12ａ，12ａを挟み込むように支持穴23ｈ，23ａ，23ａが挟持することで、人形胸部鋳型22Ｂの型内に人形裸体胸部８Ｂを所定位置に所定の姿勢で固定支持される。
【００２８】
人形胸部鋳型22Ｂの型面と人形裸体胸部８Ｂとの間には、ビキニトップ部分21ｔに相当する薄い空隙が形成されており、同所要部に形成された空隙に着衣成型用樹脂であるＰＶＣ（ポリ塩化ビニル）樹脂を注入して着衣部分であるビキニトップ８Ｔを人形裸体胸部８Ｂの主に胸の膨らみ部の表面に成型する（「着衣成型工程」）。
【００２９】
着衣成型用樹脂であるＰＶＣ樹脂は、着衣としての所要の色を有しており、人形成型用樹脂であるＡＢＳ樹脂よりも溶融温度が低く設定されているので、また、樹脂量が少ないため短時間で樹脂が人形裸体胸部８Ｂに回り込むため、着衣成型工程で人形裸体胸部８Ｂを溶かすことなく、ビキニトップ８Ｔを人形裸体胸部８Ｂの表面に成型することができる。
ビキニトップ８Ｔは人形裸体胸部８Ｂに接着して剥がれることはない。
【００３０】
一般的に、ＰＶＣ樹脂はＡＢＳ樹脂よりも溶融温度が低いが、樹脂に含有される添加物あるいは使用される樹脂量によって溶融温度が変化するので、ＰＶＣ樹脂が溶融して、かつＡＢＳ樹脂が溶融しない温度がある程度の幅をもって存在するように、予め設定したＰＶＣ樹脂とＡＢＳ樹脂を用いるようにするのが好ましい。
【００３１】
しかし、着衣成型工程で人形胸部鋳型22Ｂの型面と人形裸体胸部８Ｂとの間の薄い空隙に着衣成型用樹脂を注入するので、成型時間が短く、着衣成型用樹脂の樹脂量も多くないので、溶融温度が人形成型用樹脂と同じ程度の着衣成型用樹脂を用いることも可能である。
また、着衣成型用樹脂として合成ゴムを用いることも可能である。
【００３２】
着衣成型工程でＰＶＣ樹脂は、人形胸部鋳型22Ｂの型面と人形裸体胸部８Ｂとの間の所定の薄い空隙に注入されるので、着衣相当部であるビキニトップ８Ｔは立体感を失わずに極めて薄く成型され、かかる極薄いビキニトップ８Ｔが人形裸体胸部８Ｂの胸の膨らみに密着したような写実的な表現ができる（図８参照）。
なお、ビキニトップ８Ｔは、その紐の部分も成型されて人形裸体胸部８Ｂにまとわりつくように背後に延びて形成することができる。
【００３３】
同様に、半割りにされた人形腰部鋳型22Ｗを、前記人形裸体腰部８Ｗに前後から被せ、人形腰部鋳型22Ｗの型内所定位置に、連結突起13ｗ，13ｌ，13ｌを利用してを固定支持して収容し（図７参照）、人形腰部鋳型22Ｗの型面と人形裸体腰部８Ｗとの間のビキニパンツ部分21ｐに相当する薄い空隙に着衣成型用樹脂であるＰＶＣ樹脂を注入して着衣部分であるビキニパンツ８Ｐを人形裸体腰部８Ｗの主に下腹部から臀部の膨らみ部の表面に成型する（「着衣成型工程」）。
【００３４】
この着衣成型工程で人形腰部鋳型22Ｗの型面と人形裸体腰部８Ｗとの間の所定の薄い空隙に注入されるので、着衣相当部であるビキニパンツ８Ｐは立体感を失わずに極めて薄く成型され、かかる極薄いビキニパンツ８Ｐが人形裸体腰部８Ｗの臀部の膨らみに密着したような写実的な表現ができる（図８参照）。
【００３５】
このようにしてビキニトップ８Ｔを装着した人形裸体胸部８Ｂとビキニパンツ８Ｐを装着した人形裸体腰部８Ｗおよび人形頭部８Ｈ、人形腕部８Ａ，８Ａ、人形脚部８Ｌ，８Ｌを接合して人形８を組み立てる（図９参照）。
【００３６】
人形裸体胸部８Ｂと人形裸体腰部８Ｗは、連結穴12ｗと連結突起13ｗの嵌合による正確な位置決めの下に互いに接合し、両合せ面は接着剤で接着される。
さらに、人形裸体胸部８Ｂには、人形頭部８Ｈが連結突起12ｈと連結穴11ｈの嵌合により接合され、左右人形腕部８Ａ，８Ａが、連結突起12ａ，12ａと連結穴14ａ，14ａの嵌合により接合される。
また、人形裸体腰部８Ｗには、左右人形脚部８Ｌ，８Ｌが連結突起13ｌ，13ｌと連結穴15ｌ，15ｌの嵌合により接合される。
【００３７】
組み立てられた人形８を、図１０および図１１に示す。
なお、各部材の互いの接合する境目は、表面処理により、または塗装や接着剤の注入により目立たないようにすることが可能である。
また、人形裸体腰部８Ｗと左右人形脚部８Ｌ，８Ｌの接合のように、ビキニパンツ８Ｐの端縁を境目とするようにして、造形的に境目を目立たないようにすることができる。
【００３８】
以上のように、ＡＢＳ樹脂で成型された裸体人形の人形裸体胸部８Ｂと人形裸体腰部８Ｗに、薄い空隙を所要部に存して人形胸部鋳型22Ｂと人形腰部鋳型22Ｗをそれぞれ被せ、型内にＰＶＣ樹脂を注入して着衣であるビキニトップ８Ｔとビキニパンツ８Ｐを人形裸体胸部８Ｂと人形裸体腰部８Ｗの各表面に成型するので、立体感があると同時に、あたかも薄手のビキニトップ８Ｔとビキニパンツ８Ｐが身体に密着したような写実的な表現を可能としたリアリティのあるビキニスタイルの人形８を量産することができる。
ビキニトップ８Ｔやビキニパンツ８Ｐにしわやひだのようなものを表現することも可能である。
【００３９】
人形成型用樹脂としてＡＢＳ樹脂を用い、着衣成型用樹脂としてＰＶＣ樹脂を用いたが、その他の合成樹脂も使用可能である。
例えば、ウレタン樹脂、ナイロン樹脂、ポリカーボネート、ジュラゴン、スチロール樹脂、ポリプロピレン樹脂、ポリスチレン樹脂、ＦＲＰ樹脂、熱可塑性エラストマーなどがあり、その目的と使用方法によって随時変更可能である。
ただし、人形成型用樹脂より着衣成型用樹脂の溶融温度が低いか少なくとも同じ組合せであることが必要である。
【００４０】
上記実施の形態では、裸体人形に薄手の水着を樹脂で成型していたが、下着類を同様に成型することができる。
また、水着や下着を着用した状態の裸体相当人形に、薄手の着衣を樹脂で成型することも可能である。
図１２は、ビキニスタイルの裸体相当人形30に、薄手の着衣であるＴシャツ31を着用した人形32を示している。
【００４１】
裸体相当人形30は、前記実施の形態の人形８と同じ形状をしているが、ビキニトップ30Ｔとビキニパンツ30Ｐは、裸体人形と一体にＡＢＳ樹脂で成型されたもので、後工程で色が塗られている。
かかる裸体相当人形30に人形胴体鋳型を被せて、所要部型面と裸体相当人形30との間に半透明のＰＶＣ樹脂を注入して着衣であるＴシャツ31を、裸体相当人形30の胴体部分の表面に成型して人形32を製造している。
【００４２】
Ｔシャツ31は、裸体相当人形30の首部からビキニパンツ30Ｐの上半部までを覆い、両腕部は上腕上部までを覆っている。
半透明のＰＶＣ樹脂からなる薄いＴシャツ31は、裸体相当人形30の表面に密着して薄く成型されるので、濡れたＴシャツ31を着て、内側の素肌やビキニトップ30Ｔおよびビキニパンツ30Ｐの上半部が透けて見える写実的なリアリティのある表現を可能としている。
かかるＴシャツ31は、鋳型で裸体相当人形30の表面に成型されるので、生産効率が良く、量産が容易にできる。
【００４３】
なお、本発明の鋳型成型により裸体相当人形の表面に着衣相当部分を形成した人形の表面に、さらに第２の着衣相当部分を成型するというように、順次着衣相当部分を重ねて成型していくことも可能である。
【００４４】
本発明は、着衣相当部分を樹脂により鋳型で裸体相当人形の表面に成型するので、上記のように薄く成型できる。
また、逆に着衣相当部を厚く成型することも容易にできる。
【００４５】
前記実施の形態では、着衣相当部分として水着やＴシャツによって説明したが、その他薄く表現されるレースの下着やワイシャツといった衣服も適用可能であるとともに、衣服に限定されるものではなく、衣服以外のショール等の装身具やタオル等の素肌に触れるもの、あるいは髪の毛なども、本発明における着衣相当部分に相当するものである。
【００４６】
また、前記実施の形態では、女性の人形を例として挙げたが、性別を限定するものではなく、空想上の生き物や実際の動物であってもよい。
さらに、裸体相当人形の分離された部分に、着衣相当部分を成型したが、部分どうしを互いに接合したものに、着衣相当部分を成型することも可能である。
【００４７】
さらに、略完成した人形が既に存在する場合に、その人形の表面に着衣相当部分を成型することもできる。
その場合は、略完成した人形は裸体相当原型に相当し、あらためて裸体相当原型を作成することなく、略完成した人形から裸体相当鋳型を作成する工程（「裸体相当鋳型作成工程」）からはじめればよい。
【図面の簡単な説明】
【００４８】
【図１】本発明の一実施の形態に係る人形の原型作成工程における裸体相当原型の正面図である。
【図２】裸体相当原型を切断した状態を示す図である。
【図３】裸体相当鋳型作成工程において作成された頭部鋳型、裸体胸部鋳型、裸体腰部鋳型、腕部鋳型、脚部鋳型を示す図である。
【図４】裸体相当人形成型工程において成型された人形頭部、人形裸体胸部、人形裸体腰部、人形腕部、人形脚部を示す図である。
【図５】人形原型作成工程において作成された人形胸部原型と人形腰部原型を示す図である。
【図６】人形鋳型作成工程において作成された人形胸部鋳型と人形腰部鋳型を示す図である。
【図７】着衣成型工程における人形胸部鋳型と人形腰部鋳型の断面図である。
【図８】着衣成型工程において人形裸体胸部と人形裸体腰部にそれぞれ成型されたビキニトップとビキニパンツを示す図である。
【図９】ビキニトップを装着した人形裸体胸部とビキニパンツを装着した人形裸体腰部および人形頭部、人形腕部、人形脚部を接合しようとしている図である。
【図１０】本実施の形態において製造された人形の正面図である。
【図１１】同側面図である。
【図１２】別の実施の形態において製造された人形の正面図である。
【符号の説明】
【００４９】
１…裸体相当原型、１Ｈ…頭部原型、１Ｂ…裸体胸部原型、１Ｗ…裸体腰部原型、１Ａ…腕部原型、１Ｌ…脚部原型、
２Ｈ…頭部鋳型、２Ｂ…裸体胸部鋳型、２Ｗ…裸体腰部鋳型、２Ａ…腕部鋳型、２Ｌ…脚部鋳型、
３ｈ…棒状中子、４ｈ，４ａ，４ａ，５ｗ，５ｌ，５ｌ…穴、６ａ，７ｌ，７ｌ…棒状中子、
８…人形、８Ｈ…人形頭部、８Ｂ…人形裸体胸部、８Ｗ…人形裸体腰部、８Ａ…人形腕部、８Ｌ…人形脚部、８Ｔ…ビキニトップ、８Ｐ…ビキニパンツ、
11ｈ…連結穴、12ｗ…連結穴、12ｈ，12ａ，12ａ…連結突起、13ｗ，13ｌ，13ｌ…連結突起、14ａ，14ａ…連結穴、15ｌ，15ｌ…連結穴、
20Ｂ…人形胸部原型、20Ｗ…人形腰部原型、21ｔ…ビキニトップ部分、21ｐ…ビキニパンツ部分、
22Ｂ…人形胸部鋳型、22Ｗ…人形腰部鋳型、23ｈ，23ａ，23ａ…支持穴、24ｗ，24ｌ，24ｌ…支持穴、
30…裸体相当人形、30Ｔ…ビキニトップ、30Ｐ…ビキニパンツ、31Ｔ…シャツ。
【図１】
2008220512.tif 000003
【図２】
2008220512.tif 000004
【図３】
2008220512.tif 000005
【図４】
2008220512.tif 000006
【図５】
2008220512.tif 000007
【図６】
2008220512.tif 000008
【図７】
2008220512.tif 000009
【図８】
2008220512.tif 000010
【図９】
2008220512.tif 000011
【図１０】
2008220512.tif 000012
【図１１】
2008220512.tif 000013
【図１２】
2008220512.tif 000014